(57)【要約】【課題】  花器の底面に描かれた模様を隠すことなく、花器の底面の凹凸にかかわらず剣山の転倒を防止でき、さらに花器の底面上で剣山の位置および方向を簡単に変更できる剣山を提供する。【解決手段】  上面に多数の針が群設された本体部１と、本体部１を支持する支持部２０とを備える剣山において、支持部２０は、支持部２０と本体部１の周面とが環をなすように本体部１の側方に突出した構成とする。【選択図】        図１
2007044366.tif 000002
【特許請求の範囲】
【請求項１】
上面に多数の針が群設された本体部と、該本体部を支持する支持部とを備える剣山において、
前記支持部は、該支持部と前記本体部の周面とが環をなすように前記本体部の側方に突出していることを特徴とする剣山。
【請求項２】
前記支持部は、湾曲棒状であることを特徴とする請求項１に記載の剣山。
【請求項３】
前記支持部は、可塑性を備えることを特徴とする請求項１または請求項２に記載の剣山。
【請求項４】
前記支持部は、前記本体部に設けられた嵌入孔に対して嵌脱可能に嵌着してあることを特徴とする請求項１ないし請求項３のいずれかに記載の剣山。
【発明の詳細な説明】
【技術分野】
【０００１】
本発明は、転倒を防止するための支持部を備えた剣山に関する。
【背景技術】
【０００２】
従来、華道において、花器に花材を固定させるために剣山が使用されているが、華道は花材の美のみならず花器の美を含めた全体の美観が重視されるため、剣山の使用により、例えば花器の底面に描かれた模様が隠されるなどして花器の美が損なわれないように、剣山を小型にする、または、剣山を透明樹脂により形成することが行われている。併せて、小型または透明樹脂製の剣山は、軽量であり、花材の重量により転倒し易くなるため、吸盤を支持部として用いて剣山を花器に固着させるか、または、板状部材に貫通孔を設け、該貫通孔に剣山を嵌着させることにより、剣山の周りを囲むようにした板状部材により剣山を支持させている（特許文献１参照）。
【特許文献１】特開２００３−１３５２３３号公報
【発明の開示】
【発明が解決しようとする課題】
【０００３】
しかしながら、特許文献１に記載の吸盤を用いて剣山を花器に固着させるものは、底面が凹凸になっている花器に対して、底面に吸盤が密着せず十分な吸着力が得られず、剣山が花器に固定されないので、剣山の転倒を防止できない。また、特許文献１に記載の板状部材により剣山を支持するものは、花器の底面に描かれた模様を覆い隠すので花器の美が損なわれる。
【０００４】
また、華道においては、花材の美と花器の美との調和を図るべく、花器の底面上で剣山の位置および方向を簡単に変更できることが望まれるが、特許文献１に記載の支持部として吸盤を用いて剣山を花器に固着させる場合、密着した吸盤を花器の底面から外す煩わしさがある。
【０００５】
また、華道においては、花材の美と花器の美との調和の観点から、盆状で底面が広くて浅い「水盤」、または、水盤より中央が深くなって底面が若干狭い「鉢」など、底面の面積が異なる花器を使い分けるか、円，長円，矩形，菱形または雲形など、底面の形状が異なる花器を使い分けている。従って、該花器の底面に描かれた模様を覆い隠さないように剣山を支持するには、支持部は該底面の縁に沿った形状をしていることが望ましい。これに対して、特許文献１に記載の板状部材により剣山を支持するものは、底面の形状に対応することができず、使用できる花器が制限される。
【０００６】
本発明はこのような事情に鑑みてなされたものであって、本体部の周面と環をなすように本体部の側方に突出して本体部を支持する支持部を備えることによって、花器の底面に描かれた模様を隠すことなく，花器の底面の凹凸にかかわらず剣山の転倒を防止でき、さらに花器の底面上で剣山の位置および方向を簡単に変更できる剣山を提供することを目的とする。
【０００７】
また本発明は、可塑性を備えた支持部を備えることによって、底面の形状が異なる花器においても、花器の底面に描かれた模様を隠すことなく，使用できる剣山を提供することを目的とする。
【０００８】
また本発明は、本体部に対し嵌脱可能な支持部を備えることによって、底面に描かれた模様を覆い隠さない支持部，花器の底面の形状に応じた形状を備える支持部、または、花器の底面の面積に応じた大きさの支持部を選択して嵌着することができる剣山を提供することを目的とする。
【課題を解決するための手段】
【０００９】
第１発明に係る剣山は、上面に多数の針が群設された本体部と、該本体部を支持する支持部とを備える剣山において、前記支持部は、該支持部と前記本体部の周面とが環をなすように前記本体部の側方に突出していることを特徴とする。
第２発明に係る剣山は、前記支持部は、湾曲棒状であることを特徴とする。
【００１０】
第３発明に係る剣山は、前記支持部は、可塑性を備えることを特徴とする。
【００１１】
第４発明に係る剣山は、前記支持部は、前記本体部に設けられた嵌入孔に対して嵌脱可能に嵌着してあることを特徴とする。
【発明の効果】
【００１２】
第１発明による場合は、本体部の周面と環をなすように本体部の側方に突出して本体部を支持する支持部を備えることにより、前記環に形成された環状空間から花器の底面に描かれた模様を覗かせることができ、該模様を隠すことなく剣山を支持できる。さらにまた支持部は、吸着力を利用しないので、花器の底面の凹凸にかかわらず剣山の転倒を防止でき、さらに花器の底面上で剣山の位置および方向を簡単に変更できる。
【００１３】
第２発明による場合は、湾曲棒状の支持部を用いることにより、外観上、支持部を極力目立たないようにでき、花器の美を損なわないようにできる。
【００１４】
第３発明による場合は、可塑性を備えた支持部を用いることにより、底面の形状に応じて支持部を変形できるので、様々な形状の底面を有する花器において、花器の底面に描かれた模様を隠すことなく、剣山の転倒を防止できる。
【００１５】
第４発明による場合、底面に描かれた模様の位置，花器の底面の形状または面積に応じて支持部を選択して嵌着することができるので、底面に描かれた模様の位置が異なる花器，底面の形状または面積が異なる花器に使用する場合、花器の底面に描かれた模様を隠すことなく、剣山の転倒を防止できる。
【発明を実施するための最良の形態】
【００１６】
以下、本発明をその実施の形態を示す図面に基いて具体的に説明する。
【００１７】
図１は、本発明に係る剣山の斜視図、図２は同じく平面図、図３は図２に示したIII−III線の縦断面図である。
【００１８】
図中１は、本体部であり、鉛などの重量金属材料で形成された平面視略正方形の直方体の台座１０と、台座１０の上面１０１に垂直上向に群設された多数の針１１とを備えている。
【００１９】
台座１０の４つの周面１０３，１０３，１０３，１０３には、隣接する両周面寄りであって下面１０２寄りの箇所に嵌入孔１２ａ，１２ｂが水平方向に形成されている。
【００２０】
本体部１を支持する４つの支持部２０，２０，２０，２０は、夫々、嵌入孔１２ａ，１２ｂの内径より若干太いステンレス鋼により形成されたＵ字形の湾曲棒である。支持部２０は、長手方向の寸法が台座１０の平面視一辺と略同長を有している。支持部２０の両端には、当接棒２１ａ，２１ｂが垂直上向に設けられている。当接棒２１ａ，２１ｂは、支持部２０の直径と同じ太さを有し、下面１０２から嵌入孔１２ａ，１２ｂまでの寸法と略同長の高さを有している。当接棒２１ａ，２１ｂには、前記Ｕ字形の湾曲部分と反対側の側面に、周面１０３と当接する当接面が設けられている。さらに当接棒２１ａ，２１ｂの当接面には、下面１０２から嵌入孔１２ａ，１２ｂまでの寸法と略同長の高さ位置に、嵌入孔１２ａ，１２ｂと同じ太さの凸部２２ａ，２２ｂが前記当接面に対して垂直に設けられている。
【００２１】
凸部２２ａ，２２ｂが嵌入孔１２ａ，１２ｂに嵌入された支持部２０は、本体部１の周面１０３と環をなすように本体部１の側方へ突出し、支持部２０の下面は、下面１０２と面一をなす。
【００２２】
具体的には、支持部２０は、嵌入孔１２ａ，１２ｂの内径φ３ｍｍより若干太いφ５ｍｍであって、平面視一辺４０ｍｍの台座１０の周面１０３からの突出量が４０ｍｍである。
【００２３】
また、支持部２０は、異なる長さのものが付属している。
図４および図５は、本発明に係る支持部を備える剣山の平面図である。
【００２４】
例えば、図４に図示したとおり、長円形であって全面に模様が描かれている花器の底面３に本体部１を載置する場合、支持部２０，２０，２０，２０は、本体部１の転倒を防止しつつ前記模様を隠さないようにするため、長径方向には長い支持部が、短径方向には短い支持部が夫々選択され嵌着される。
【００２５】
具体的には、長径が５００ｍｍであって短径が８０ｍｍである長円形の底面の中心付近に台座１０の平面視一辺が４０ｍｍの本体部１を載置する場合、長径方向に対しては、２３０ｍｍ程度突出するものが選択され、短径方向に対しては、２０ｍｍ程度突出するものが選択され嵌着される。
【００２６】
更にまた、例えば、図５に図示したとおり、長円形であって底面の縁寄りに模様が描かれている花器の底面４に本体部１を載置する場合、支持部２０，２０，２０，２０は、前記模様を隠さないようにするため、長径および短径の長さより若干短く突出するものが夫々選択され嵌着される。
【００２７】
具体的には、長径が５００ｍｍであり短径が８０ｍｍである長円形であって該長円形の縁より中心方向へ１０ｍｍ付近に模様が描かれている底面に台座１０の平面視一辺が４０ｍｍの本体部１を載置する場合、長径方向に対しては、２００ｍｍ程度突出するものが選択され、短径方向に対しては、１０ｍｍ程度突出するものが選択され嵌着される。
【００２８】
また、支持部２０は、Ｕ字形に限らず、くの字形またはコの字形に曲折されたものであってもよい。これにより、菱形または矩形の花器の底面に本体部１を載置する場合、該底面に描かれた模様を覆い隠さないようにして本体部１を支持することができる。
【００２９】
また、本体部１を支持する支持部２０は、花材の重量により変形しない程度の強度を備えた可塑性を有してもよい。
【００３０】
この場合の支持部２０は、嵌入孔１２ａ，１２ｂの内径と同じ太さの鉄またはアルミニウムなどの可塑性を有する太さおよび材質を備えた金属により形成されている。
【００３１】
図６は、本発明に係る可塑性を備えた支持部を備える剣山の平面図である。例えば、雲形であって全面に模様が描かれている花器の底面５に本体部１を載置する場合、支持部２０，２０，２０，２０は、本体部１の転倒を防止しつつ前記模様を隠さないようにするため、底面５の縁に沿って変形できる。
【００３２】
また、支持部は、湾曲棒に限らず、湾曲帯体であってもよい。
図７は、本発明に係る剣山の湾曲帯体の支持部の斜視図である。
【００３３】
図７に図示したとおり、支持部３０は、幅方向を上下にし、厚み方向へ平面視Ｕ字形に湾曲させた湾曲帯体である。支持部３０の両端面３１ａ，３１ｂには、下面１０２から嵌入孔１２ａ，１２ｂまでの寸法と略同長の高さであって、前記帯体の厚み方向に対して１／２の寸法の箇所に、嵌入孔１２ａ，１２ｂと同じ太さの凸部３２ａ，３２ｂが両端面３１ａ，３１ｂに対して垂直に設けられている。これにより、支持部３０は、湾曲棒に比して上下方向の撓み剛性が高まるため、同じ剛性を有する湾曲棒の直径の寸法より帯体の厚みを薄くできる。従って、支持部３０は、湾曲棒により形成された支持部２０より、さらに目立つことなく、花器の底面に描かれた模様を隠すことなく、花器の美を損なわないようにできる。
【００３４】
図８は、下面に嵌入孔が設けられた剣山の実施例を示す平面図、図９は、図８に示したIX−IX線の縦断面図である。支持部４０は、嵌入孔１２ａ，１２ｂの内径と同じ太さの湾曲棒であり、長手方向の寸法が台座１０の平面視一辺と略同長を有している。さらに前記支持部４０の両端は、曲折して、垂直上向に嵌入凸部４１ａ，４１ｂが設けてある。
【００３５】
下面１０２の４つの縁には、夫々隣接する両縁寄りの箇所に、支持部４０の直径と略同寸の深さおよび幅を有し、前記直径の略２倍の長さを有する溝１３ａ，１３ｂを設けてある。さらに溝１３ａ，１３ｂ内の縁から最も遠い箇所の上面から、嵌入孔１２ａ，１２ｂを垂直上向に形成してある。
【００３６】
嵌入凸部４１ａ，４１ｂが嵌入孔１２ａ，１２ｂに嵌入された支持部４０は、溝１３ａ、１３ｂに嵌合して、支持部４０の下面と下面１０２とで面一をなす。
【００３７】
なお、上述した実施の形態においては、支持部２０は、本体部１と嵌脱可能に嵌着されているが、これに限らず、本体部１と一体形成されてもよい。
【００３８】
また、上述した実施の形態においては、支持部２０は、ステンレス鋼などの金属により形成されているが、これに限らず、透明樹脂により形成されたものであってもよい。これにより、外観上、支持部を極力目立たないようにでき、花器の美を損なわないようにできる。
【００３９】
また、上述した実施の形態においては、４つの支持部２０，２０，２０，２０を、台座１０の全ての周面１０３，１０３，１０３，１０３に対して嵌着しているが、これに限らず、花材の重量がかかる方向の周面１０３にのみ、支持部４０を嵌着してもよい。
【００４０】
また、上述した実施例の形態においては、台座１０の全ての周面１０３，１０３，１０３，１０３に対して、嵌入孔１２ａ，１２ｂを形成したが、これに限らず、台座１０のいずれかの周面１０３にのみ、嵌入孔１２ａ，１２ｂを形成するようにしてもよい。
【００４１】
また、上述した本体部１の台座１０は、平面視略正方形の直方体であるが、これに限らず、平面視円形、または、平面視長円形であってもよい。
【図面の簡単な説明】
【００４２】
【図１】本発明に係る剣山の斜視図である。
【図２】本発明に係る剣山の平面図である。
【図３】図２に示したIII−III線の縦断面図である。
【図４】本発明に係る支持部を備える剣山の平面図である。
【図５】本発明に係る支持部を備える剣山の平面図である。
【図６】本発明に係る可塑性を備えた支持部を備える剣山の平面図である。
【図７】本発明に係る剣山の湾曲帯体の支持部の斜視図である。
【図８】下面に嵌入孔が設けられた剣山の実施例を示す平面図である。
【図９】図８に示したIX−IX線の縦断面図である。
【符号の説明】
【００４３】
１  本体部
１０  台座
１０１  上面
１０２  下面
１０３  周面
１２ａ，１２ｂ  嵌入孔
１３ａ，１３ｂ  溝
２０  支持部
２１ａ，２１ｂ  当接棒
２２ａ，２２ｂ  凸部
３０  支持部
３１ａ，３１ｂ  両端面
３２ａ，３２ｂ  凸部
４０  支持部
４１ａ，４１ｂ  嵌入凸部
【図１】
2007044366.tif 000003
【図２】
2007044366.tif 000004
【図３】
2007044366.tif 000005
【図４】
2007044366.tif 000006
【図５】
2007044366.tif 000007
【図６】
2007044366.tif 000008
【図７】
2007044366.tif 000009
【図８】
2007044366.tif 000010
【図９】
2007044366.tif 000011